(57)【要約】【課題】何らかの要因によりパワートレインに作用する負荷が急増して破損を生じたときでも、最小限のコストにより修理することができるモータ駆動車両を提供する。【解決手段】モータの出力軸１５及び減速機の入力軸２２に対して円筒状のジョイント部材１３を外嵌してスプライン係合し、ジョイント部材１３の外周に全周に亘って凹溝３３を形成することにより、局所的な強度低下を生じた脆弱部３４を設ける。悪路で車両がスタックして後輪のロックによりパワートレインに急激な負荷が作用したときに、パワートレインの他の部材に先行して凹溝３３を境界としてジョイント部材１３の脆弱部３４を破断させ、修理コストが高いパワートレインの他の部材の破損を防止する。【選択図】図３
2009192044.tif 000002
【特許請求の範囲】
【請求項１】
モータの駆動力を減速機を介して駆動輪に伝達するモータ駆動車両において、
上記モータの出力軸の先端と上記減速機の入力軸の先端とを相対向させて、該出力軸及び入力軸の外周にそれぞれスプラインを形成し、該出力軸及び入力軸に筒状をなすジョイント部材を外嵌すると共に、該ジョイント部材の内周にスプラインを形成して上記出力軸及び入力軸のスプラインに係合させ、該ジョイント部材に局所的な強度低下を生じる脆弱部を設けたことを特徴とするモータ駆動車両。
【請求項２】
上記脆弱部は、上記ジョイント部材の外周に形成された凹溝により肉厚が減少した箇所であることを特徴とする請求項１記載のモータ駆動車両。
【請求項３】
上記脆弱部は、上記ジョイント部材の軸線方向において上記出力軸の先端と入力軸の先端とが相対向する領域と略対応していることを特徴とする請求項１または２記載のモータ駆動車両。
【請求項４】
上記出力軸の先端と入力軸の先端とを離間させ、該先端間の領域の略中央に上記ジョイント部材の脆弱部を位置させたことを特徴とする請求項１乃至３の何れかに記載のモータ駆動車両。
【発明の詳細な説明】
【技術分野】
【０００１】
本発明はバッテリや燃料電池により作動するモータを駆動源とし、モータの駆動力を減速機を介して駆動輪に伝達して走行するモータ駆動車両に関するものである。
【背景技術】
【０００２】
バッテリを電源として走行用モータを作動させる電気自動車、或いは燃料電池を電源として走行用モータを作動させる燃料電池車（以下、モータ駆動車両と総称する）では、例えばモータの出力軸を減速機の入力軸に連結し、減速機の出力軸をディファレンシャルギヤやドライブシャフト等を介して駆動輪側と連結してパワートレインを構成している。減速機としては、純然たる減速機能のみを有するものや変速機能を兼ね備えたものがあるが、何れにしても走行に必要な駆動力を確保すべくモータの回転を減速して駆動力を増大する必要があることから、そのためにモータ駆動車両は減速機を備えている。
【０００３】
この種のモータ駆動車両において、モータの出力軸と減速機の入力軸との連結箇所には一般にスプラインが利用されている（例えば、特許文献1参照）。当該特許文献１には電気自動車が開示されているが、モータの出力軸と減速機の入力軸との何れか一方に雄側のスプラインを形成し、何れか他方に雌側のスプラインを形成し、雌側のスプラインに雄側のスプラインを挿入係合させて動力伝達を可能としている。
【非特許文献１】「HONDA R&D Technical Review」１９９７年，第９巻，ｐ４
【発明の開示】
【発明が解決しようとする課題】
【０００４】
ところで、モータ駆動車両に限らずエンジンを駆動源とした車両でも同様であるが、例えば、悪路等を走行中に駆動輪の一方が轍にスタックして急激にロックしたとき等には、モータから駆動輪までのパワートレインに作用する負荷が通常の駆動力伝達時より急激に増大し、このときの負荷が過大であればパワートレインの一部が破損してしまう。エンジンを駆動源とした車両では、パワートレイン中に設けられているクラッチやトルクコンバータ等の箇所で滑りが生じることにより、破損に至る可能性は比較的低い。しかしながら、任意に停止可能なモータを駆動源とするモータ駆動車両では、パワートレイン中にクラッチやトルクコンバータ等を備えない場合が多く、結果として急増した負荷が逃されることなくパワートレインに直接的に作用して、最も強度的に弱い部位が破損に至る可能性が高い。
【０００５】
パワートレインを構成する部品には、ドライブシャフト等のような高額部品、或いは減速機の内部ギヤ等のように交換作業が非常に煩雑な部品があるため、上記現象によりパワートレインの何れかの部品が破損するとしても、これらの修理コストが高額となる部品の破損は可能な限り避けることが望ましい。
ところが、上記特許文献１のモータ駆動車両は、このような要請を何ら考慮することなく、モータの出力軸と減速機の入力軸との連結箇所を含めたパワートレインの全ての箇所が、単にモータ駆動力を伝達する強度確保に留意して製作されているに過ぎない。よって、何れの部品が破損するかは各部品の強度によって自ずと定まってしまい、上記のような高額部品や交換し難い部品の破損により修理コストが高騰してしまうという問題が発生していた。
【０００６】
本発明はこのような問題点を解決するためになされたもので、その目的とするところは、何らかの要因によりパワートレインに作用する負荷が急増して破損を生じたときでも、最小限のコストにより修理することができるモータ駆動車両を提供することにある。
【課題を解決するための手段】
【０００７】
上記目的を達成するため、請求項１の発明は、モータの駆動力を減速機を介して駆動輪に伝達するモータ駆動車両において、モータの出力軸の先端と減速機の入力軸の先端とを相対向させて、出力軸及び入力軸の外周にそれぞれスプラインを形成し、出力軸及び入力軸に筒状をなすジョイント部材を外嵌すると共に、ジョイント部材の内周にスプラインを形成して出力軸及び入力軸のスプラインに係合させ、ジョイント部材に局所的な強度低下を生じる脆弱部を設けたものである。
【０００８】
従って、例えば悪路で車両がスタックして、駆動輪のロックによりモータ及び減速機を含むパワートレインに急激な負荷が作用したときには、パワートレインの他の部材に先行してジョイント部材の脆弱部が破断する。従って、その時点でジョイント部材を介した駆動力の伝達が中止されて、パワートレインの他の部材に負荷が作用しなくなり破損が未然に防止される。そして、ジョイント部材は安価であり、且つ、モータ及び減速機の脱着により容易に交換可能なため、例えば高額部品であるドライブシャフトが破損した場合、或いは交換し難い減速機の内部ギヤ等が破損した場合等に比較して安価なコストで修理可能となる。
【０００９】
請求項２の発明は、請求項１において、脆弱部を、ジョイント部材の外周に形成された凹溝により肉厚が減少した箇所としたものである。
従って、例えばジョイント部材の外周を旋削する際等に凹溝を同時に加工可能なため、ジョイント部材の製造工程を煩雑化することなく脆弱部を設けることが可能となる。
請求３の発明は、請求項１または２において、脆弱部が、ジョイント部材の軸線方向において出力軸の先端と入力軸の先端とが相対向する領域と略対応しているものである。
【００１０】
動力伝達時のジョイント部材は、軸線方向において出力軸や入力軸のスプライン係合していない領域、換言すれば出力軸の先端と入力軸の先端とが相対向する領域で大きな捻り力を受ける。この領域に対してジョイント部材の脆弱部が略対応していることから、駆動輪のロック等による負荷を脆弱部に確実に作用させて破断可能となる。
請求４の発明は、請求項１乃至３において、出力軸の先端と入力軸の先端とを離間させ、先端間の領域の略中央にジョイント部材の脆弱部を位置させたものである。
【００１１】
出力軸及び入力軸に対してスプライン係合しているジョイント部材が軸線方向に変位したり、加工誤差によりジョイント部材上の脆弱部の位置が軸線方向にずれたりしても、脆弱部は出力軸及び入力軸の先端間の領域と常に対応するため、駆動輪のロック等による負荷を脆弱部に確実に作用させて破断可能となる。
【発明の効果】
【００１２】
以上説明したように請求項１の発明のモータ駆動車両によれば、何らかの要因によりパワートレインに作用する負荷が急増したときに、修理コストの安価なジョイント部材の脆弱部を他の部材に先行して破断させるため、最小限のコストにより修理することができる。
請求項２の発明のモータ駆動車両によれば、請求項１に加えて、ジョイント部材のコストを一層低減することができる。
【００１３】
請求項３，４の発明のモータ駆動車両によれば、請求項１または２に加えて、負荷を脆弱部に確実に作用させて破断でき、もってパワートレインの他の部材の破損を一層確実に防止することができる。
【発明を実施するための最良の形態】
【００１４】
以下、本発明を電気自動車に具体化した一実施形態を説明する。
図１は本実施形態の電気自動車のパワートレインの搭載状態を示す斜視図である。本実施形態の電気自動車は、後輪１の直前に走行用のモータ２を搭載して後輪１を駆動するリアミッドシップ形式が採用されている。車両のパワートレインは、モータ２、減速機３、ディファレンシャルギヤ４、ドライブシャフト５等から構成されており、車両後方より見て、モータ２の右側に減速機３が連結されている。減速機３の下側後方にはディファレンシャルギヤ４が配設され、ディファレンシャルギヤ４は左右に接続されたドライブシャフト５を介して左右の後輪１に連結されている。これにより、モータ駆動時には、モータ２の回転が減速機３により減速されてディファレンシャルギヤ４に伝達され、このディファレンシャルギヤ４によりさらに減速されながら左右に分岐されて、ドライブシャフト５を経て左右の後輪１に伝達される。
【００１５】
本実施形態では、モータ２として永久磁石式同期型モータが使用されている。モータ２は発電機としても機能し、車両減速時において後輪１側よりモータ２が逆駆動されて交流電流を発生すると共に、それに伴う回生制動トルクによりエンジンブレーキに相当する制動力を生じる。一方、減速機３は変速機能を備えず、内部ギヤ比に応じた減速機能を奏するものが使用される。但し、これらの設定に限定されるものではなく、モータ２の種類や仕様を変更したり、或いは減速機３に変速機能を付加したりしてもよい。
【００１６】
上記モータ２、減速機３及びディファレンシャルギヤ４の上方位置には、モータ２を駆動するインバータ６、及び家庭用100V電源や三相交流200V電源からバッテリを充電する充電器７が設置されている。また、車両の床下には、モータ２の駆動電源としてリチウムイオンバッテリ８が搭載されている。
インバータ６によるモータ２の駆動、及び充電器７によるバッテリ８の充電は、車室内に設置された図示しないコントローラにより制御される。例えば車両走行時において、コントローラは運転者によるアクセル操作量等の検出情報に基づき力行トルク指令値を算出し、バッテリ８からの高圧直流電流をインバータ６により交流電流に変換してモータ２に供給し、これによりモータ２に駆動力を発生させて車両を走行させる。また、アクセルオフによる車両減速時には、モータ２で発生した交流電流をインバータ６により直流電流に変換してバッテリ８に充電する。一方、バッテリ８の充電時には、充電器７の充電電流をバッテリ８の端子電圧や温度等に応じて調整する充電制御を行う。
【００１７】
ところで、悪路等を走行中に後輪１の一方が轍にスタックして急激にロックしたとき等には、モータ２から後輪１までのパワートレインに作用する負荷が急増して破損する虞が生じ、例えばドライブシャフト５等の高額部品、或いは減速機３の内部ギヤ等の交換作業が煩雑な部品が破損した場合には、修理コストが高騰してしまう。その対策として本実施形態では、モータ２と減速機３との連結箇所に強度的に弱い部位を設けて、この部位を他の部材に先行して破損させるように配慮している。そこで、以下に当該モータ２と減速機３との連結箇所の構造、及びこれによる作用効果について述べる。
【００１８】
図２はモータ２と減速機３との連結箇所を示す部分断面図、図３はジョイント部材による軸の連結状態を示す図２の部分拡大図、図４はスプラインと凹溝とを示す図３のIV−IV線断面図である。図２，３はモータ２及び減速機３を車両後方より見た図に相当し、モータ２が左側に、減速機３が右側に位置している。モータ２のハウジング１１の右側には右方に開口するカップ状をなすベルハウジング１１ａが一体形成され、ベルハウジング１１ａの端面が減速機３側のハウジング１２に対して図示しないボルトで締結されることで、モータ２と減速機３とが一体化されている。以下に詳述するように、このベルハウジング１１ａ内で、モータ２の出力軸の先端（図２，３に示す右端）と減速機３の入力軸の先端（図２，３に示す左端）とがジョイント部材１３を介して相互に連結されている。
【００１９】
モータ２のハウジング１１内には一対のベアリング１４（右側のみ図示）により出力軸１５が回転可能に支持されている。図示はしないが、ハウジング１１内において出力軸１５には永久磁石を備えたロータが取り付けられ、ロータの周囲にはステータが配設され、これによりモータ２が構成されている。出力軸１５の先端はオイルシール１６を介してベルハウジング１１ａ内に突出し、突出箇所の基端側には断面半円状をなす逃げ溝１７が全周に亘って形成されている。出力軸１５の上記ベアリング１４で支持された軸受部１８に比して、逃げ溝１７より先端側は若干小径に設定されて外周にスプライン１９が形成され、スプライン１９の先端側には面取り２０が形成されている。なお、逃げ溝１７は、出力軸１５にスプラインを加工する際の工具の逃げとして利用されるものである。
【００２０】
減速機３のハウジング１２内には、一対のベアリング２１（左側のみ図示）により入力軸２２が回転可能に支持されている。図示はしないが、ハウジング１２内において入力軸２２は上記減速比を達成するためのギヤ機構に接続され、入力軸２２の先端はオイルシール２３を介してモータ２のベルハウジング１１ａ内に突出している。減速機３の入力軸２２はモータ２の出力軸１５と同一軸線上に位置して、その先端を出力軸１５の先端に対して僅かな間隙を介して相対向させている。全体として入力軸２２のベルハウジング１１ａ内への突出箇所は、モータ２の出力軸１５と比較して左右対称の略同一形状をなしている。即ち、入力軸２２の突出箇所の基端側には断面半円状をなす逃げ溝２４が全周に亘って形成され、入力軸２２の上記ベアリング２１で支持された軸受部２５に比して、逃げ溝２４より先端側は若干小径に設定されて外周に上記出力軸１５と同一形状のスプライン２６が形成され、スプライン２６の先端側には面取り２７が形成されている。
【００２１】
モータ２の出力軸１５及び減速機３の入力軸２２には、筒状をなすジョイント部材１３が外嵌されている。ジョイント部材１３の内周にはスプライン３１が形成され、スプライン３１は出力軸１５及び入力軸２２のスプライン１９，２６とそれぞれ係合している。これにより出力軸１５と入力軸２２とはジョイント部材１３により相対回転を規制され、上記のようにモータ駆動時にはジョイント部材１３を介して出力軸１５から入力軸２２への動力伝達が行われ、車両減速時にはジョイント部材１３を介して入力軸２２から出力軸１５への動力伝達が行われる。ジョイント部材１３のスプライン２７の内径は、出力軸１５及び入力軸２２の軸受部１８，２５の外径より若干小さく、ジョイント部材１３は両軸受部１８，２５間に軸線方向への若干の遊びをもって位置すると共に、両軸受部１８，２５により軸線方向への移動を規制されている。なお、このジョイント部材１３の軸線方向の遊びは、出力軸１５と入力軸２２との位置誤差を許容するためのものである。
【００２２】
モータ２の出力軸１５の先端及び減速機３の入力軸２２の先端の相対向する面には、それぞれ半球状のグリス溜まり３２が凹設されている。これらのグリス溜まり３２にはグリスが封入され、グリスによりスプライン１９，２６，３１間を潤滑してフレッティング摩耗の抑制を図っている。
一方、ジョイント部材１４の外周には全周に亘って断面三角状をなす１条の凹溝３３が形成され、ジョイント部材１３の軸線方向における凹溝３３の位置は、出力軸１５及び入力軸２２の先端が相対向する位置と一致している。凹溝３３の形成によりジョイント部材１３の凹溝３３の箇所は肉厚が減少して局所的な強度低下を生じており、以下、この箇所を脆弱部３４と称する。例えば凹溝３３は、ジョイント部材１３の外周を旋削する際等に同時に加工可能なため、ジョイント部材１３の製造工程を煩雑化することなく設けることができる。
【００２３】
ここで、ジョイント部材１３を介した出力軸１５及び入力軸２２間の動力伝達をさらに詳述すると、モータ２の駆動力は出力軸１５からスプライン１９，３１を経て一旦ジョイント部材１３に伝達され、このジョイント部材１３からスプライン２６，３１を経て減速機３の入力軸２２に伝達される。逆の場合も同様に、後輪１からの駆動力は減速機３の入力軸２２からスプライン２６，３１を経て一旦ジョイント部材１３に伝達され、このジョイント部材１３からスプライン１９，３１を経てモータ２の出力軸１５に伝達される。
【００２４】
このため、動力伝達時のジョイント部材１３は、軸線方向において出力軸１５や入力軸２２のスプライン係合していない領域、換言すれば出力軸１５の先端の面取り２０から入力軸２２の先端の面取り２７までに亘る領域Ｅで大きな捻り力を受け、必然的に領域Ｅで発生する応力は、出力軸１５や入力軸２２にスプライン係合している他の箇所に比較して格段に大きくなる。ジョイント部材１３の凹溝３３の位置が領域Ｅと一致することにより、自ずと脆弱部３４が領域Ｅと対応することになる。
【００２５】
但し、必ずしも脆弱部３４を領域Ｅと完全に対応させる必要はなく、例えば領域Ｅの近接位置に脆弱部３４を設けてもよく、このような態様まで本発明は含んでいる。
凹溝３３の断面形状は、以下の要件を満たす脆弱部３４の強度を達成するように設定されている。
基本的に凹溝３３の深さを増加させるほど、ジョイント部材１３の肉厚の減少により脆弱部３４の強度は低下し、また、凹溝３３の断面形状の内周側の角度を鋭角にするほど、応力集中により脆弱部３４の強度は低下する傾向となる。このような凹溝３３の断面形状と脆弱部３４の強度との関係を考慮した上で、通常の車両走行中においてジョイント部材１３が伝達する最大限の駆動力にも脆弱部３４が破断することなく十分に耐え、且つ、悪路で車両がスタックしたときの後輪１のロックによりパワートレインに急激な負荷が作用したときには、パワートレインの他の部材、例えばドライブシャフト５や減速機３の内部ギヤ等が破損に至る以前の段階で、凹溝３３を境界として脆弱部３４が確実に破断するように、凹溝３３の断面形状が設定されている。
【００２６】
次に、以上のように構成されたモータ駆動車両において、悪路でのスタックにより後輪１がロックしたときのジョイント部材１３の作用について説明する。
通常の車両走行中には、ジョイント部材１３の脆弱部３４の強度を越えるような動力伝達は発生しないことから、ジョイント部材１３は脆弱部３４を破断させることなくモータ２の出力軸１５側から減速機３の入力軸２２側への動力伝達、或いは減速機３の入力軸２２側からモータ２の出力軸１５側への動力伝達を支障なく行う。
【００２７】
そして、例えば悪路で車両がスタックして後輪１のロックによりパワートレインに急激な負荷が作用したときには、パワートレインの他の部材に先行してジョイント部材１３の脆弱部３４が凹溝３３を境界として確実に破断する。従って、その時点でジョイント部材１３を介した駆動力の伝達が中止されて、パワートレインの他の部材に負荷が作用しなくなるため、例えばドライブシャフト５や減速機３の内部ギヤ等の破損が未然に防止される。
【００２８】
そして、ジョイント部材１３が破損したときには、車両よりモータ２及び減速機３を降ろした上で、これらのモータ２と減速機３とを分離してジョイント部材１３を交換することになるが、ジョイント部材１３はドライブシャフト５等と比較して格段に安価であり、且つ、ジョイント部材１３を交換するにはモータ２及び減速機３の脱着を要するものの、内部ギヤの破損時のような減速機３の分解までは必要ないため、交換作業が比較的容易である。よって、ドライブシャフト５や減速機３の内部ギヤが破損した場合に比較して、格段に安価なコストにより修理することができる。
【００２９】
特に本実施形態では、動力伝達時に直接的に捻り力を受けるジョイント部材１３の領域Ｅと一致する位置に凹溝３３を形成することで脆弱部３４を領域Ｅと対応させているため、後輪１のロックによる負荷を脆弱部３４に確実に作用させて破断させることができ、結果としてパワートレインの他の部材の破損を一層確実に防止することができる。
以上で実施形態の説明を終えるが、本発明の態様はこの実施形態に限定されるものではない。例えば上記実施形態では電気自動車に具体化したが、適用する車両はこれに限定されるものではなく、モータ２を駆動源として減速機３を介して車輪を駆動して走行するモータ駆動車両であればよい。従って、例えば燃料電池によりモータ２を作動させる燃料電池車両、或いは、エンジンで発電機を駆動して、発電した電力によりモータ２を作動させるシリーズ式ハイブリッド車両に適用してもよい。また、モータ２を車両前側に搭載して前輪を駆動するように構成してもよい。
【００３０】
また、ジョイント部材１３の構成についても上記実施形態に限らず種々に変更可能であり、以下にジョイント部材１３の別例について順次説明する。
まず、ジョイント部材１３の凹溝３３の断面形状を変更してもよい。例えば、図５に示すように断面半円状の凹溝３３を形成したり、図６に示すように断面四角状の凹溝３３を形成したりしてもよい。また、必ずしも凹溝３３は１条である必要はないし、ジョイント部材１３の全周に亘って連続させる必要もない。従って、２条の凹溝３３を隣接して形成したり、或いは凹溝３３をジョイント部材１３の周方向に不連続に形成したりしてもよい。
【００３１】
また、上記説明のように、脆弱部３４は、動力伝達時に直接的に捻り力を受けるジョイント部材１３の領域Ｅに対応して設けることが望ましい。しかしながら、ジョイント部材１３の軸線方向の遊びの範囲内で脆弱部３４の位置は変位し、また、凹溝３３の加工誤差によりジョイント部材１３上の脆弱部３４の位置が軸線方向にずれることもあり、これらの場合には脆弱部３４が領域Ｅと一致しない可能性もある。そこで、図７に示すように、出力軸１５の先端と入力軸２２の先端とを離間させて領域Ｅを拡大するとともに、その領域Ｅの軸線方向の略中央に脆弱部３４が位置するように凹溝３３を形成してもよい。このように構成すれば、たとえジョイント部材１３が遊びの範囲内で軸線方向に変位しても、或いは凹溝３３に多少の加工誤差があっても、脆弱部３４は常に領域Ｅと対応し、後輪１のロック時に脆弱部３４を確実に破断させることができる。
【００３２】
また、凹溝３３の形成以外の手法によりジョイント部材１３に脆弱部３４を設けてもよい。例えば図８に示すように、ジョイント部材１３に多数の貫通孔４１を周方向に列設してもよく、この場合でも、ジョイント部材１３の貫通孔４１の箇所は局所的な強度低下を生じて脆弱部３４として機能する。
【図面の簡単な説明】
【００３３】
【図１】実施形態の電気自動車のパワートレインの搭載状態を示す斜視図である。
【図２】モータと減速機との連結箇所を示す部分断面図である。
【図３】ジョイント部材による軸の連結状態を示す図２の部分拡大図である。
【図４】スプラインと凹溝とを示す図３のIV−IV線断面図である。
【図５】断面半円状の凹溝を形成した別例を示す部分拡大図である。
【図６】断面四角状の凹溝を形成した別例を示す部分拡大図である。
【図７】出力軸と入力軸とを離間させて略中央に脆弱部を設けた別例を示す部分拡大図である。
【図８】ジョイント部材に多数の貫通孔を列設して脆弱部とした別例を示す部分拡大図である。
【符号の説明】
【００３４】
１              後輪（駆動輪）
２              モータ
３              減速機
１３            ジョイント部材
１５            出力軸
２２            入力軸
１９,２６,３１  スプライン
３３            凹溝
３４            脆弱部
【図１】
2009192044.tif 000003
【図２】
2009192044.tif 000004
【図３】
2009192044.tif 000005
【図４】
2009192044.tif 000006
【図５】
2009192044.tif 000007
【図６】
2009192044.tif 000008
【図７】
2009192044.tif 000009
【図８】
2009192044.tif 000010